【手続補正書】
【提出日】平成18年2月27日(2006.2.27)
【手続補正１】
【補正対象書類名】明細書
【補正対象項目名】全文
【補正方法】変更
【補正の内容】
【書類名】      明細書
【発明の名称】  スピニングリールの発音機構
【特許請求の範囲】
【請求項１】
釣り糸の巻き取り及び繰り出しを行うスプールに連動して回転する第１部品と、リール本体に対して回転不能な第２部品との相対回転により発音するスピニングリールの発音機構であって、
前記第１部品及び前記第２部品の一方に対して回転が規制され、外周面の周方向に間隔を隔てて設けられ前記スプールの前記釣り糸繰り出し方向の回転のみを許容し得るように鋸歯状に形成された複数の鋸歯部を有する第１発音部と、
先端部が前記鋸歯部に当接可能に前記第１部品及び前記第２部品の他方に装着され、前記スプールが前記釣り糸繰り出し方向に回転したとき、前記先端部が前記鋸歯部に当接を繰り返して発音する第２発音部と、
を備えたスピニングリールの発音機構。
【請求項２】
前記第１部品は、前記第２発音部が装着される前記スプールであって、
前記第２部品は、前記第１発音部の回転が規制されるスプール軸である、請求項１に記載のスピニングリールの発音機構。
【請求項３】
前記第１発音部と前記スプール軸との間に配置され、前記第１発音部の回転を規制する摩擦部材をさらに備えている、請求項２に記載のスピニングリールの発音機構。
【請求項４】
前記スプール軸に回転不能に装着され、前記スプールの内周側に配置された軸受を保持する保持部材をさらに備え、
前記摩擦部材は前記第１発音部と前記保持部材との間に配置されている、請求項３に記載のスピニングリールの発音機構。
【請求項５】
前記保持部材の内周面は断面が円形に形成され、前記スプール軸は断面が非円形になるように形成されており、
前記保持部材の内周面と前記スプール軸との間の隙間に装着される間座部材をさらに備えている、請求項４に記載のスピニングリールの発音機構。
【請求項６】
前記第１発音部の内径は前記軸受の外径より大きい、請求項４又は５に記載のスピニングリールの発音機構。
【請求項７】
前記摩擦部材は環状の弾性体製部材である、請求項３から６のいずれかに記載のスピニングリールの発音機構。
【請求項８】
前記第１発音部は筒部外周面に前記鋸歯部が設けられた有底筒状部材である、請求項２から７のいずれかに記載のスピニングリールの発音機構。
【請求項９】
前記第２発音部は、先端部が前記鋸歯部に当接可能に前記スプールに揺動自在に装着された爪部材と、前記爪部材の前記先端部を前記鋸歯部方向に付勢するばね部材とを有している、請求項２から８のいずれかに記載のスピニングリールの発音機構。
【発明の詳細な説明】
【０００１】
【発明の属する技術分野】
本発明は、スピニングリールの発音機構、特に、釣り糸の巻き取り及び繰り出しを行うスプールとスプール軸との相対回転により発音するスピニングリールの発音機構に関する。
【０００２】
【従来の技術】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられる糸巻胴部と、糸巻胴部の後端部に設けられた大径筒状のスカート部とを備えている。糸巻胴部の後端部には、スプール軸に回転不能に装着され、スプールの後方への移動を規制するスプール受け部が配置されている。また、フロントドラグ型のスピニングリールでは、糸巻胴部の内部には、複数のドラグ板からなるドラグ機構や、ドラグ機構作動時に発音する発音機構等を有している（たとえば、特許文献１参照）。
【０００３】
このような発音機構は、たとえばドラグ機構の内部に配置され、スプール軸に回転不能に装着されたばね部材と、ばね部材に当接して発音する円筒部材とを備えている。この円筒部材は、糸巻胴部の内周部に装着されており、ばね部材との相対回転により内周側に形成された凹凸部にばね部材が当接して発音するようになっている。
【０００４】
また、他の発音機構として、たとえば糸巻胴部の後端部に配置されたスプール受け部が発音機構を兼用しているものがある。この種の発音機構は、糸巻胴部の後端部に装着された合成樹脂製の板状部材と、板状部材に当接して発音する円板部材とを備えている。この円板部材は、内周にスプール軸が回転不能に係合し、外周に凹凸部が形成されており、板状部材との相対回転により、凹凸部に板状部材が当接して発音するようになっている。
【０００５】
【特許文献１】
特開２００２−３４５３６８号公報
【０００６】
【発明が解決しようとする課題】
前記従来のスピニングリールの発音機構では、円板部材の外周には凹凸部が形成されており、ドラグ機構作動時、すなわちスプールが釣り糸繰り出し方向に回転したときに発音させることができる。しかし、スプールが釣り糸繰り出し方向と逆方向に回転したとき、つまりスプールが釣り糸巻き取り方向に回転したときにも同様に発音してしまう。このため、釣人はドラグ機構が作動しているか否かを正しく把握することができないおそれがある。
【０００７】
本発明の課題は、スピニングリールの発音機構において、スプールが釣り糸繰り出し方向に回転したときに発音させることにある。
【０００８】
【課題を解決するための手段】
発明１に係るスピニングリールの発音機構は、釣り糸の巻き取り及び繰り出しを行うスプールに連動して回転する第１部品と、リール本体に対して回転不能な第２部品との相対回転により発音するスピニングリールの発音機構であって、第１部品及び第２部品の一方に対して回転が規制された第１発音部と、第１部品及び第２部品の他方に装着された第２発音部とを備えている。第１発音部は、外周面の周方向に間隔を隔てて設けられ、スプールの釣り糸繰り出し方向の回転のみを許容し得るように鋸歯状に形成された複数の鋸歯部を有している。第２発音部は、先端部が鋸歯部に当接可能にスプールに装着され、スプールが釣り糸繰り出し方向に回転したとき、先端部が鋸歯部に当接を繰り返して発音する。
【０００９】
この発音機構は、フロントドラグ式のスピニングリールの場合、たとえば第１部品をスプールとし、第２部品をスプール軸としたとき、スプールとスプール軸との相対回転により発音する。また、この発音機構は、リアドラグ式のスピニングリールの場合、第１部品をスプール軸とし、第２部品をリール本体としたとき、スプール軸とリール本体との相対回転により発音する。また、第１発音部は、たとえばワンウェイのラチェットホイールであって、スプールの釣り糸繰り出し方向の回転を許容し得るように形成されている。ここでは、第１発音部はスプールの釣り糸繰り出し方向の回転を許容し得るように形成されているので、ドラグ機構が作動しているときのみ、すなわちスプールが釣り糸繰り出し方向に回転したときにのみ第２発音部が当接して発音するので、釣人はドラグ機構の作動状態を確実に把握することができる。
【００１０】
発明２に係る発音機構は、発明１の発音機構において、第１部品は第２発音部が装着されるスプールであって、第２部品は第１発音部の回転が規制されるスプール軸である。この場合、フロントドラグ式のスピニングリールであって、スプールとスプール軸との相対回転により発音する。また、第１発音部は第２部品であるスプール軸に対して回転が規制され、第２発音部は第１部品であるスプールに装着されている。ここでは、第１発音部はスプールの釣り糸繰り出し方向の回転を許容し得るように形成されているので、ドラグ機構が作動しているときのみ、すなわちスプールが釣り糸繰り出し方向に回転したときにのみ第２発音部が当接して発音するので、釣人はドラグ機構の作動状態を確実に把握することができる。
【００１１】
発明３に係る発音機構は、発明２の発音機構において、第１発音部とスプール軸との間に配置され、第１発音部の回転を規制する摩擦部材をさらに備えている。この場合、たとえばスプール軸の外周に形成された溝部等に摩擦部材を装着し、第１発音部の回転を規制することにより、スプールが釣り糸巻き取り方向に回転しても、釣り糸巻き取り方向に回転規制された第２発音部との接触による第１発音部及び第２発音部の破損を防止できる。
【００１２】
発明４に係る発音機構は、発明３の発音機構において、スプール軸に回転不能に装着され、スプールの内周側に配置された軸受を保持する保持部材をさらに備えている。摩擦部材は第１発音部と保持部材との間に配置されている。この場合、たとえば保持部材の外周に形成された溝部等に摩擦部材を装着することにより、第１発音部の回転を容易に規制できる。
【００１３】
発明５に係る発音機構は、発明４の発音機構において、保持部材の内周面は断面が円形に形成され、スプール軸は断面が非円形になるように形成されている。保持部材の内周面とスプール軸との間の隙間に装着される間座部材をさらに備えている。この場合、保持部材の内周面とスプール軸との間の隙間にたとえば断面が略半円形の間座部材を装着することにより、保持部材のがたつきを抑えることができる。
【００１４】
発明６に係る発音機構は、発明４又は５の発音機構において、第１発音部の内径は軸受の外径より大きい。この場合、第１発音部を軸受の外径より大径に形成することにより、鋸歯部の数を増やしたりピッチを細かくすることができるので、歯切れのよい発音を実現できる。
【００１５】
発明７に係る発音機構は、発明３から６のいずれかの発音機構において、摩擦部材は環状の弾性体製部材である。この場合、たとえばＯリング等の弾性体製部材を設けることにより、第１発音部の回転を確実に規制できる。
【００１６】
発明８に係る発音機構は、発明２から７のいずれかの発音機構において、第１発音部は筒部外周面に鋸歯部が設けられた有底筒状部材である。この場合、たとえばスプール内部にワッシャ等を着脱し、スプールの軸方向位置をずらしても、筒部外周面に鋸歯部を長く設けることにより、第１発音部と第２発音部とを確実に接触させることができる。
【００１７】
発明９に係る発音機構は、発明２から８のいずれかの発音機構において、第２発音部は、先端部が鋸歯部に当接可能にスプールに揺動自在に装着された爪部材と、爪部材の先端部を鋸歯部方向に付勢するばね部材とを有している。この場合、第１発音部と第２発音部とを簡素な構成で接触させることができる。
【００１８】
【発明の実施の形態】
本発明の一実施形態を採用したスピニングリールは、図１に示すように、ハンドル１を回転自在に支持するリール本体２と、ロータ３と、スプール４（第１部品の一例）とを備えている。ロータ３は、リール本体２の前部に回転自在に支持されている。スプール４は、釣り糸を外周面に巻き取るものであり、ロータ３の前部に前後移動自在に配置されている。
【００１９】
リール本体２は、リールボディ２ａと、リールボディ２ａから斜め上前方に延びる竿取付脚２ｂとを有している。リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００２０】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００２１】
オシレーティング機構６は、スプール４の中心部にドラグ機構６０を介して連結されたスプール軸１５（第２部品の一例）を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２２】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２３】
第１ロータアーム３１の先端の外周側には、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００２４】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２５】
ロータ３の円筒部３０の内部にはロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２６】
スプール４は、図２に示すように、ロータ３の第１ロータアーム３１と第２ロータアーム３２との間に配置されており、スプール軸１５の先端にドラグ機構６０を介して装着されている。スプール４は、図３に示すように、外周に釣り糸が巻かれる大小２段の円筒状のスプール本体７と、スプール本体７の前端に装着された大径のフランジ部８と、フランジ部８をスプール本体７に固定するためのフランジ固定部材９とを有している。
【００２７】
スプール本体７は、図３に示すように、たとえばアルミニウム合金を絞り加工等のプレス加工して得られた大小２段の円筒状の部材であり、第１軸受５６及び第２軸受５７によりスプール軸１５に回転自在に装着されている。スプール本体７は、外周に釣り糸が巻かれる筒状の糸巻胴部７ａと、糸巻胴部７ａの後部に一体で形成された大径筒状のスカート部７ｂとを有している。
【００２８】
糸巻胴部７ａは、図３に示すように、金属薄板により筒状に形成された筒状部１６と、筒状部１６の内周側に別体で接着された合成樹脂製の円筒部１７と、円筒部１７の後端側に円筒部１７と一体成形された環状の内周部１８とを有している。円筒部１７の内周面には、図３に示すように、フランジ固定部材９を装着するための雌ねじ部１７ａが形成されている。内周部１８の内側には、有底筒状の支持部１９ａ、１９ｂが前後にそれぞれ形成されている。支持部１９ａ、１９ｂの内側には第１軸受５６及び第２軸受５７が装着されており、第１軸受５６及び第２軸受５７は筒状の保持部材７０を介してスプール軸１５に回転自在に装着されている。保持部材７０の後端部には、後方への移動が規制されて装着された環状部材２０が当接している。さらに、糸巻胴部７ａの後端部には、スプール４とスプール軸１５との相対回転によって発音する後述する第１発音部９１及び第２発音部９２、摩擦部材９３からなる発音機構９０が取り付けられている。
【００２９】
環状部材２０は、図４に示すように、スプール軸１５に前後移動不能に装着された金属製のリング部材である。環状部材２０は第２軸受５７の後端に当接している。環状部材２０をスプール軸１５に固定することにより、ドラグ機構６０により内周部１８が後方に押圧されても、スプール４全体を受けることができる。
【００３０】
保持部材７０は、図４に示すように、後端部が環状部材２０に当接し内周部１８により後方に押圧される筒状の部材である。保持部材７０は、外周に第１軸受５６及び第２軸受５７が保持され、内周がスプール軸１５に回転不能に装着されている。保持部材７０は、内周がスプール軸１５に回転不能に装着される円筒部７１と、円筒部７１の外周に設けられ前側面が内周部１８に押圧される円板部７２とを有している。円筒部７１は、円板部７２の前側に設けられ外周に第１軸受５６が配置される第１円筒部７１ａと、円板部７２の後側に設けられ外周に第２軸受５７が配置される第２円筒部７１ｂとを有している。
【００３１】
保持部材７０は、第１円筒部７１ａに形成された貫通孔７１ｃを貫通し、スプール軸１５に形成された雌ねじ１５ａに螺合する六角穴付き止めねじ等のピン部材７５によりスプール軸１５に回転不能に固定されている。また、ピン部材７５が装着された第１円筒部７１ａには、円板部７２の前側面と内周部１８との間には、３枚の間座部材７６が装着されている。また、図６に示すように、保持部材７０の内周面は断面が円形に形成され、スプール軸１５は断面が非円形になるように形成されている。保持部材７０の内周面とスプール軸１５との間の２箇所の隙間には、断面が略半円形の間座部材８０がそれぞれ装着されている。これにより、保持部材７０のがたつきを抑えることができる。
【００３２】
発音機構９０は、図４及び図５に拡大して示すように、スプール軸１５に対して回転が規制された第１発音部９１と、第１発音部９１に当接を繰り返して発音する第２発音部９２と、第１発音部９１の回転を規制する摩擦部材９３とを備えている。
【００３３】
第１発音部９１は、図４及び図５に示すように、有底筒状のラチェットホイールであって、筒部外周面の周方向に間隔を隔てて設けられスプール４の釣り糸繰り出し方向の回転のみを許容し得るように鋸歯状に形成された複数の鋸歯部９１ａと、底部内周面にスプール軸１５に回転不能に装着された保持部材７０に回転が規制されて取り付けられる取付部９１ｂとを有している。第１発音部９１の筒部内周側には、第２軸受５７が隙間をあけて配置されており、すなわち第１発音部９１の外径は第２軸受５７の内径より大きくなっている。
【００３４】
第２発音部９２は、図４及び図５に示すように、先端部が鋸歯部９１ａに当接可能に糸巻胴部７ａの後端部に揺動自在に装着された鉤状の爪部材９２ａと、爪部材９２ａを揺動自在に支持する支持部材９２ｂと、爪部材９２ａの先端部を鋸歯部９１ａ方向に付勢するばね部材９２ｃとを有している。ばね部材９２ｃは、一端が糸巻胴部７ａの後端部に立設されたボス部７ｃ（図５参照）に係止され、他端が爪部材９２ａに取り付けられている。また、糸巻胴部７ａの後端部にはストッパー部７ｄが立設されており、爪部材９２ａの過度の移動を規制している。ここでは、スプール４が釣り糸繰り出し方向に回転したとき、爪部材９２ａの先端部が鋸歯部９１ａに当接を繰り返して発音するようになっている。
【００３５】
摩擦部材９３は、図４及び図５に示すように、Ｏリング等の環状の弾性体製部材であり、第１発音部９１の回転を規制するための部材である。摩擦部材９３は、第１発音部９１と保持部材７０との間に配置されている。摩擦部材９３は、保持部材７０の外周に形成された溝部７１ｄに装着され、第１発音部９１の取付部９１ｂ内周面と接触することにより、第１発音部９１の回転を規制している。
【００３６】
スカート部７ｂは、図２及び図３に示すように、ロータ３の円筒部３０を覆うように筒状に糸巻胴部７ａと一体成形されている。スカート部７ｂは、アルミニウム合金を絞り加工して得られた金属薄板により形成されている。
【００３７】
フランジ部８は、図３に示すように、外周に行くほど前方に傾斜するように形成された金属製又は硬質セラミック製の傷つきにくい円板状の部材である。フランジ部８は、糸巻胴部７ａの雌ねじ部１７ａに螺合するフランジ固定部材９により、糸巻胴部７ａとの間に挟持されて固定されている。
【００３８】
フランジ固定部材９は、図３に示すように、糸巻胴部７ａの雌ねじ部１７ａに螺合する筒状の雄ねじ部９ａと、雄ねじ部９ａの内周側に一体で形成されドラグ機構６０の後述する複数のドラグ板６２を収納可能な空間を内部に有する筒状のドラグ収納部９ｂと、雄ねじ部９ａの先端にフランジ部８に当接可能に設けられた当接部９ｃとを有している。
【００３９】
ドラグ機構６０は、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２とを有している。
【００４０】
次にリールの操作及び動作について説明する。
【００４１】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により釣り糸巻き取り位置に復帰しロータ３の逆転が禁止されているので釣り糸の放出が止まる。
【００４２】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００４３】
このようなスプール４の発音機構では、第１発音部９１は、スプール４の釣り糸繰り出し方向の回転のみを許容し得るように形成されている。ここでは、第１発音部９１はスプール４の釣り糸繰り出し方向の回転のみを許容し得るように形成されているので、ドラグ機構６０が作動しているときのみ、すなわちスプール４が釣り糸繰り出し方向に回転したときにのみ第２発音部９２が当接して発音するので、釣人はドラグ機構６０の作動状態を確実に把握することができる。
【００４４】
〔他の実施形態〕
（ａ）  前記実施形態では、浅溝スプールを用いていたが、これに限定されるものではなく、他のあらゆるスピニングリールのスプールについて本発明を適用できる。また、前記実施形態では、フロントドラグ式のスピニングリールを用いていたが、これに限定されるものではなく、リアドラグ式のスピニングリールを用いてもよい。たとえば、第１部品は第１発音部の回転が規制されるスプール軸であって、第２部品は第２発音部が装着されるリール本体であってもよい。ここでは、スプール軸（第１部品の一例）とリール本体（第２部品の一例）との相対回転により発音する。
【００４５】
（ｂ）  前記実施形態では、摩擦部材９３は、第１発音部９１と保持部材７０との間に配置されていたが、第１発音部９１とスプール軸１５との間に配置する構成にしてもよい。また、摩擦部材９３は、環状の弾性部材に限定されず、他の規制手段であってもよい。
【００４６】
（ｃ）  前記実施形態では、第２発音部９２は、爪部材９２ａを鋸歯部９１ａ方向に付勢するばね部材９２ｃを有する構成であったが、ばね部材９２ｃを有さない構成であってもよい。また、爪部材９２ａを鋸歯部９１ａに当接可能な合成樹脂製の舌状部材としてもよい。
【００４７】
【発明の効果】
本発明によれば、スピニングリールの発音機構において、第１発音部はスプールの釣り糸繰り出し方向の回転のみを許容し得るように形成されているので、釣人はドラグ機構の作動状態を確実に把握できる。
【図面の簡単な説明】
【図１】
本発明の一実施形態によるスピニングリールの右側面図。
【図２】
前記スピニングリールの左側面断面図。
【図３】
前記スピニングリールのスプールの拡大断面図。
【図４】
前記スプールの発音機構の側面拡大断面図。
【図５】
前記発音機構の背面拡大断面図。
【図６】
前記スプールの支持部分の分解斜視図。
【符号の説明】
２  リール本体
４  スプール
１５  スプール軸
２０  環状部材
５６  第１軸受
５７  第２軸受
６０  ドラグ機構
７０  保持部材
８０  間座部材
９０  発音機構
９１  第１発音部
９１ａ  鋸歯部
９１ｂ  取付部
９２  第２発音部
９２ａ  爪部材
９２ｂ  支持部材
９２ｃ  ばね部材
９３  摩擦部材
【手続補正２】
【補正対象書類名】図面
【補正対象項目名】図２
【補正方法】変更
【補正の内容】
【図２】
2004275054.tif 000001
【手続補正３】
【補正対象書類名】図面
【補正対象項目名】図３
【補正方法】変更
【補正の内容】
【図３】
2004275054.tif 000002
【手続補正４】
【補正対象書類名】図面
【補正対象項目名】図４
【補正方法】変更
【補正の内容】
【図４】
2004275054.tif 000003